(57)【要約】【課題】除菌ガスによる基板の腐食を抑制できる空気清浄機を提供する。【解決手段】筐体３の内部は、仕切部材１４によって上側領域５０と下側領域２４とに仕切られる。下側領域２４に配置されたファン１３の吐出口と上側領域５０に連通した排気口７０とをつなぐ流路７５では、上側流路５１と下側流路２４Ｂとが仕切部材１４の連通口３４Ａを介して連通する。発生ユニット１００は、空気を除菌するための除菌ガスを上側流路５１に発生させる。少なくともファン１３に接続される基板２６は、下側領域２４においてファン１３に対する下側流路２４Ｂの反対側の配置領域２４Ｃに配置される。下側領域２４では、遮断壁２５が、配置領域２４Ｃを下側流路２４Ｂから遮断し、フィルタ部材８０が、連通口３４Ａから下側流路２４Ｂに流れ落ちた除菌ガスを捕獲する。【選択図】図１１
2017086212.tif 000002
【特許請求の範囲】
【請求項１】
吸気口が下部に形成され、排気口が上部に形成された筐体と、
前記筐体の内部を、前記排気口に連通した上側領域と、前記上側領域よりも下側の下側領域とに仕切り、前記上側領域と前記下側領域とを連通させる連通口が形成された仕切部材と、
前記下側領域に配置され、吐出口を有し、前記筐体の外の空気を前記吸気口から吸い込んで前記吐出口から吐出するファンと、
前記上側領域に設けられた上側流路と、前記下側領域に設けられて前記連通口を介して前記上側流路に連通する下側流路と、を有し、前記排気口と前記吐出口とをつなぐ流路と、
空気を除菌するための除菌ガスを前記上側流路に発生させる発生ユニットと、
前記下側領域において前記ファンに対する前記下側流路の反対側に位置する配置領域に配置され、少なくとも前記ファンに対して電気的に接続された基板と、
前記下側領域に設けられ、前記配置領域を前記下側流路から遮断する遮断壁と、
前記下側領域に設けられ、前記連通口から前記下側流路に流れ落ちた除菌ガスを捕獲するフィルタ部材と、
を含む、空気清浄機。
【請求項２】
前記発生ユニットは、除菌ガスを発生する発生源と、前記発生源を保持し、前記発生源を伴って前記筐体に対して着脱可能に装着されるホルダを含み、
前記ホルダには、前記上側流路の一部をなす開口部が形成される、請求項１に記載の空気清浄機。
【請求項３】
前記排気口の周囲に設けられ、前記基板に対して電気的に接続され、前記空気清浄機の作動状態を報知する照明部を含む、請求項１または２に記載の空気清浄機。
【発明の詳細な説明】
【技術分野】
【０００１】
この発明は、空気清浄機に関する。
【背景技術】
【０００２】
空気清浄機として、空気を除菌するための除菌ガスを発生させるものが知られる。この空気清浄器の電源がＯＮになると、発生した除菌ガスが空気清浄機の周囲に放出されて、空気清浄機の周囲の空気を除菌する。
【発明の概要】
【発明が解決しようとする課題】
【０００３】
空気清浄機の電源をＯＦＦにすると、放出しきれなかった除菌ガスが空気清浄機内に残留することが想定される。残留した除菌ガスが、空気清浄機内で電気部品に接続される基板に到達すると、この基板が除菌ガスによって腐食される虞がある。
【０００４】
この発明は、かかる背景のもとでなされたもので、除菌ガスによる基板の腐食を抑制できる空気清浄機を提供することを目的とする。
【課題を解決するための手段】
【０００５】
本発明は、吸気口が下部に形成され、排気口が上部に形成された筐体と、前記筐体の内部を、前記排気口に連通した上側領域と、前記上側領域よりも下側の下側領域とに仕切り、前記上側領域と前記下側領域とを連通させる連通口が形成された仕切部材と、前記下側領域に配置され、吐出口を有し、前記筐体の外の空気を前記吸気口から吸い込んで前記吐出口から吐出するファンと、前記上側領域に設けられた上側流路と、前記下側領域に設けられて前記連通口を介して前記上側流路に連通する下側流路と、を有し、前記排気口と前記吐出口とをつなぐ流路と、空気を除菌するための除菌ガスを前記上側流路に発生させる発生ユニットと、前記下側領域において前記ファンに対する前記下側流路の反対側に位置する配置領域に配置され、少なくとも前記ファンに対して電気的に接続された基板と、前記下側領域に設けられ、前記配置領域を前記下側流路から遮断する遮断壁と、前記下側領域に設けられ、前記連通口から前記下側流路に流れ落ちた除菌ガスを捕獲するフィルタ部材と、を含む、空気清浄機である。
【０００６】
また、本発明は、前記発生ユニットは、除菌ガスを発生する発生源と、前記発生源を保持し、前記発生源を伴って前記筐体に対して着脱可能に装着されるホルダを含み、前記ホルダには、前記上側流路の一部をなす開口部が形成されることを特徴とする。
【０００７】
また、本発明は、前記排気口の周囲に設けられ、前記基板に対して電気的に接続され、前記空気清浄機の作動状態を報知する照明部を含むことを特徴とする。
【発明の効果】
【０００８】
本発明によれば、空気清浄機では、吸気口が下部に形成されて排気口が上部に形成された筐体の内部が、仕切部材によって上側領域と下側領域とに仕切られる。上側領域と下側領域とは、仕切部材に形成された連通口を介して互いに連通した状態にある。筐体の内部には、上側領域に連通した排気口と下側領域に配置されたファンの吐出口とをつなぐ流路が設けられる。流路では、上側領域に設けられた上側流路と、下側領域に設けられた下側流路とが連通口を介して互いに連通した状態にある。空気清浄機では、少なくともファンが、基板に対して電気的に接続される。
ファンが駆動されると、筐体の外の空気が、吸気口から吸い込まれて吐出口から吐出された後に、排気口へ向けて上昇するように流路を流れる。発生ユニットが上側流路に発生させた除菌ガスは、流路を流れる空気に乗って排気口から筐体の外に排出され、空気清浄機の周囲の空気を除菌する。
除菌ガスには、空気よりも重く、基板を腐食させる性質を有するものが存在する。空気清浄機が運転中の状態では、このような性質を有する除菌ガスは、流路を流れる空気に乗って筐体の外に排出されるので、基板を腐食させる虞はないが、発生ユニットが発生させた除菌ガスを筐体の外に排出しきれない状態で空気清浄機の運転が停止される場合がある。この場合には、ファンの駆動が停止されて流路における空気の流れが止まった状態にあるので、筐体の外に排出しきれなかった除菌ガスが筐体内に留まって、連通口から下側領域に流れ落ち、基板を腐食させる虞がある。
そこで、下側領域において流れ落ちる除菌ガスの先には、フィルタ部材が設けられるので、下側流路に流れ落ちた除菌ガスは、フィルタ部材によって捕獲される。
また、基板は、下側領域においてファンに対する下側流路の反対側に位置する配置領域に配置される。そのため、基板は、下側流路に流れ落ちた除菌ガスから離れた位置にある。さらに、下側領域に設けられた遮断壁が配置領域を下側流路から遮断するので、基板は、下側流路に流れ落ちた除菌ガスから隔離される。
以上の結果、除菌ガスによる基板の腐食を抑制できる。
【０００９】
また、本発明によれば、発生ユニットにおいて、除菌ガスを発生する発生源を保持するホルダには、上側流路の一部をなす開口部が形成される。これにより、ホルダによって保持された発生源から発生した除菌ガスを、開口部を流れる空気に効果的に乗せて筐体の外に排出することができるので、除菌ガスによる除菌効果を促進できる。
【００１０】
また、本発明によれば、筐体の上部という空気清浄機において目の届きやすい位置にある排気口の周囲に設けられた照明部が、空気清浄機の作動状態を報知することにより、作動状態を把握しやすい空気清浄機を提供できる。
【図面の簡単な説明】
【００１１】
【図１】図１は、この発明の一実施形態に係る空気清浄機の斜視図である。
【図２】図２は、空気清浄機に含まれる発生ユニットを上側から見た斜視図である。
【図３】図３は、発生ユニットを下側から見た斜視図である。
【図４】図４は、空気清浄機の底面図である。
【図５】図５は、図４のＡ−Ａ矢視断面図である。
【図６】図６は、空気清浄機の要部の斜視図である。
【図７】図７は、空気清浄機の要部の斜視図である。
【図８】図８は、空気清浄機の要部の斜視図である。
【図９】図９は、空気清浄機の要部の斜視図である。
【図１０】図１０は、空気清浄機の要部の斜視図である。
【図１１】図１１は、図４のＢ−Ｂ矢視断面図である。
【発明を実施するための形態】
【００１２】
以下には、図面を参照して、この発明の実施形態について具体的に説明する。図１は、この発明の一実施形態に係る空気清浄機１の斜視図である。空気清浄機１は、除菌ガスを用いて周囲の空気を除菌する空気清浄機であり、たとえば、室内の棚や机に載置されたり、車内に設置されたりする。この実施形態における除菌ガスは、オゾンである。
【００１３】
図１における上下方向を空気清浄機１の上下方向Ｚと称し、図１における左右方向を空気清浄機１の左右方向Ｘと称し、図１の紙面に略垂直な方向を前後方向Ｙと称する。上下方向Ｚは、上側Ｚ１と下側Ｚ２とを結び、左右方向Ｘは、左側Ｘ１と右側Ｘ２とを結び、前後方向Ｙは、前側Ｙ１と後側Ｙ２とを結ぶ。図１では、後側Ｙ２から見たときの空気清浄機１が図示される。左側Ｘ１と右側Ｘ２とは、空気清浄機１を後側Ｙ２から見たときを基準として定義される。左右方向Ｘおよび前後方向Ｙは、水平方向Ｈに含まれる。
【００１４】
空気清浄機１の全体は、上下方向Ｚに厚さを有する円盤状に形成される。図１では、空気清浄機１を構成する発生ユニット１００および筐体３が図示される。円盤状の空気清浄機１の周方向を周方向Ｓと称し、空気清浄機１の径方向を径方向Ｒと称する。径方向Ｒは、空気清浄機１の円中心Ｏに接近する径方向内側Ｒ１と、円中心Ｏから離れる径方向外側Ｒ２とを含む。発生ユニット１００は、その筐体をなすホルダ２と、ホルダ２によって保持される発生源２００（後述する図２参照）とを含む。筐体３は、装置本体として空気清浄機１の外殻を構成する。ホルダ２は、発生源２００を伴って筐体３に対して着脱可能に装着される。
【００１５】
図２は、発生ユニット１００を上側Ｚ１から見た斜視図である。図３は、発生ユニット１００を下側Ｚ２から見た斜視図である。図２および図３を参照して、ホルダ２は、樹脂製であり、筐体３に装着された状態を基準として、前後方向Ｙに長手で上下方向Ｚに扁平のボックス状に形成される。ホルダ２の後端面２Ａは、上側Ｚ１から見た平面視における空気清浄機１の円形状の輪郭に沿った円弧状の湾曲面である。ホルダ２の内部空間の略前半分は、発生源２００を収納するための収納空間２Ｂである。
【００１６】
ホルダ２の左壁および右壁のそれぞれの略前半分には、開口部２Ｃが形成される。ホルダ２の左壁の開口部２Ｃは、左壁を左右方向Ｘに貫通し、収納空間２Ｂに左側Ｘ１から連通した状態にある。ホルダ２の右壁の開口部２Ｃは、右壁を左右方向Ｘに貫通し、収納空間２Ｂに右側Ｘ２から連通した状態にある。それぞれの開口部２Ｃにおいて前後方向Ｙにおける略中央には、開口部２Ｃを前後方向Ｙにおいて二分する補強部材２Ｄが設けられる。ホルダ２の左壁の補強部材２Ｄは、左壁の一部であり、ホルダ２の右壁の補強部材２Ｄは、右壁の一部である。補強部材２Ｄにより開口部２Ｃの周辺におけるホルダ２の強度が確保される。ただし、開口部２Ｃをなるべく広く確保できるように、前後方向Ｙにおける補強部材２Ｄの幅が定められる。
【００１７】
ホルダ２の前端面の上端部において左右方向Ｘにおける略中央には、前側Ｙ１へ突出する２つの凸部５が左右方向Ｘに並んで設けられる。ホルダ２の前端面において２つの凸部５よりも下側Ｚ２の位置には、前側Ｙ１へ突出する係合突起６が１つ設けられる（図３参照）。係合突起６は、平面視では２つの凸部５の間に位置する。係合突起６の前端部は、鉤状に形成される。
【００１８】
発生源２００は、放電管（図示せず）と放電管に高電圧を印加して放電管の内部に放電を発生させる放電基板（図示せず）とを含むオゾン発生装置である。収納空間２Ｂの空気は、放電管の内外を行き来できる。発生源２００では、放電管で発生した放電によって、放電管の内部でオゾンが発生し、このオゾンは、放電管の内部から、収納空間２Ｂにおける発生源２００の外側の領域に供給される。
【００１９】
図４は、空気清浄機１の底面図である。図５は、図４のＡ−Ａ矢視断面図である。図５では、説明の便宜上、発生源２００などの一部の部材の断面部分においてハッチングの図示が省略される（後述する図１１も同様）。筐体３は、筐体３の略下半分を構成する下筐体１０と、筐体３の略上半分を構成する上筐体１１と、下筐体１０と上筐体１１との境界を構成する境界部材１２とを含む樹脂製の中空体である。空気清浄機１は、筐体３の内部に収容されるファン１３、仕切部材１４および照明部１６を含む。
【００２０】
図４を参照して、下筐体１０は、下側Ｚ２から見た底面視で円形状をなす椀状に形成される。具体的には、下筐体１０は、下側Ｚ２へ向けて縮径される略円錐台形状に形成された本体部１０Ａと、本体部１０Ａの上端の周方向Ｓにおける全域から上側Ｚ１へ張り出した円環状の上端部１０Ｂとを一体的に含む（図５も参照）。
【００２１】
本体部１０Ａの下面１０Ｃは、水平方向Ｈに沿う円形状の平坦面であり、下筐体１０の底面を構成する。下面１０Ｃの外周部には、ゴムなどの弾性材料によってブロック状に形成された複数のクッション部材１７が、周方向Ｓにおいて等間隔で並んで取り付けられる。空気清浄機１が棚や机などの載置面に載置されたときには、クッション部材１７が載置面に接触するので、空気清浄機１の運転中における振動が載置面に伝わることが抑制される。下面１０Ｃにおいてクッション部材１７を避けた位置には、溝１０Ｄが形成され、溝１０Ｄには、電気プラグ（図示せず）につながった電気コード１８の一部が収容される。
【００２２】
本体部１０Ａの外周面１０Ｅは、下面１０Ｃの外周縁から拡径しながら上側Ｚ１へ延びる円周面である。外周面１０Ｅの周上１箇所には、空気清浄機１をＯＮしたりＯＦＦしたり運転条件をリセットしたりするためのスイッチ１９が設けられる。外周面１０Ｅにおける後側Ｙ２の領域には、周方向Ｓに細長い複数のスリットで構成された吸気口２０が形成される。筐体３全体で見ると、吸気口２０は、筐体３の下部３Ａに形成される（図１参照）。吸気口２０は、本体部１０Ａを貫通して下筐体１０の内部に連通した状態にある（図５参照）。本体部１０Ａにおいて吸気口２０の周囲の部分は、蓋状の吸気部材２１を構成し、下筐体１０に対して着脱可能である。吸気部材２１を下筐体１０から取り外すことによって、吸気口２０に詰まった埃などを取り除くことができる。
【００２３】
図６は、空気清浄機１の要部、詳しくは、下筐体１０の内部を上側Ｚ１から見た斜視図である。図６を参照して、下筐体１０の本体部１０Ａの外側周縁部において上端部１０Ｂに径方向内側Ｒ１から隣接する位置には、筐体３を組み立てるためのボルト（図示せす）が組み付けられる複数のボス部１０Ｆが，周方向Ｓに間隔を隔てて設けられる。
【００２４】
下筐体１０の上端部１０Ｂにおいて周方向Ｓで吸気口２０と同じ位置には、上端部１０Ｂの周上１箇所、詳しくは上端部１０Ｂにおける後側Ｙ２の部分を切断する切欠き１０Ｇが形成される（図５も参照）。下筐体１０には、切欠き１０Ｇの下端を縁取りつつ前側Ｙ１へ膨出した膨出部２２が一体的に設けられる。
【００２５】
膨出部２２は、吸気口２０を有する吸気部材２１に前側Ｙ１から被さるカバー状に形成される。膨出部２２の上面２２Ａは、水平方向Ｈに沿って切欠き１０Ｇの下端から前側Ｙ１へ延びる平坦面であり、膨出部２２の前面２２Ｂは、上面２２Ａの前端から下側Ｚ２へ折れ曲がって上下方向Ｚに沿って延びる。前面２２Ｂには、吸気口２０に前側Ｙ１から連通する開口部２２Ｃが形成される（図５参照）。開口部２２Ｃには、上下方向Ｚに延びる複数の柱によって構成された格子部材２３が配置される。吸気部材２１を下筐体１０から取り外したときに、下筐体１０の内部が下筐体１０の外部へ露出されないように格子部材２３が目隠しとなる。
【００２６】
下筐体１０の本体部１０Ａによって囲まれた空間のうち、膨出部２２と吸気部材２１とに囲まれた領域以外の領域を、下側領域２４という。下筐体１０は、下側領域２４に設けられる遮断壁２５を含む。遮断壁２５は、左側Ｘ１の左遮断壁２５Ａと、左遮断壁２５Ａよりも右側Ｘ２に位置する右遮断壁２５Ｂとを含む。左遮断壁２５Ａおよび右遮断壁２５Ｂのそれぞれは、下筐体１０の本体部１０Ａの内面から立ち上がった縦壁であって、左右方向Ｘに薄く、前後方向Ｙに延びる。左遮断壁２５Ａの後端は、膨出部２２の前面２２Ｂの左端部に連結され、右遮断壁２５Ｂの後端は、前面２２Ｂにおいて格子部材２３よりも右側Ｘ２の部分に連結される。左遮断壁２５Ａの後端部には、左遮断壁２５Ａを左右方向Ｘに切断する切欠き２５Ｃが形成され、前後方向Ｙにおける右遮断壁２５Ｂの略中央には、右遮断壁２５Ｂを左右方向Ｘに切断する切欠き２５Ｄが形成される。
【００２７】
左遮断壁２５Ａおよび右遮断壁２５Ｂは、下側領域２４を、左遮断壁２５Ａおよび右遮断壁２５Ｂによって挟まれた中央領域２４Ａと、中央領域２４Ａよりも左側Ｘ１の下側流路２４Ｂと、中央領域２４Ａよりも右側Ｘ２の配置領域２４Ｃとに仕切る。
【００２８】
膨出部２２の開口部２２Ｃが、中央領域２４Ａに後側Ｙ２から連通した状態にある（図５参照）。中央領域２４Ａには、図示しないモータや翼を内蔵したファン１３が配置される。ファン１３の一例として、シロッコファンが挙げられる。ファン１３では、下面に、吸込口１３Ａが設けられ、左面に、左側Ｘ１を臨む吐出口１３Ｂを有する吐出部１３Ｃが設けられる。吸込口１３Ａは、開口部２２Ｃに連通した状態にある。吐出部１３Ｃは、左遮断壁２５Ａの切欠き２５Ｃに嵌め込まれて切欠き２５Ｃを塞いた状態にある。吐出口１３Ｂは、右側Ｘ２から下側流路２４Ｂを臨み、下側流路２４Ｂに連通した状態にある。ファン１３において右前側の一部１３Ｄが、右遮断壁２５Ｂの切欠き２５Ｄに嵌め込まれて切欠き２５Ｄを塞いた状態にある。
【００２９】
配置領域２４Ｃは、下側領域２４においてファン１３に対する下側流路２４Ｂの反対側、つまり、ファン１３を挟んで下側流路２４Ｂの反対側に位置する。配置領域２４Ｃには、空気清浄機１に含まれる基板２６が配置される。基板２６は、電気コード１８に接続された電源基板２６Ａと、スイッチ１９に接続されたメイン基板２６Ｂとを含む。電源基板２６Ａおよびメイン基板２６Ｂは、互いに電気的に接続されるとともに、ファン１３、発生ユニット１００の放電基板（図示せず）および照明部１６のそれぞれに対して電気的に接続される。なお、ホルダ２および発生源２００を含む発生ユニット１００を筐体３に装着すると、電源基板２６Ａおよびメイン基板２６Ｂのそれぞれと発生ユニット１００の放電基板とが電気的に接続されるが、発生ユニット１００を筐体３から取り外すと、これらの基板２６と発生ユニット１００の放電基板との電気的な接続関係が解消される。電源基板２６Ａは、ファン１３、発生ユニット１００の放電基板および照明部１６のそれぞれに電力を供給し、メイン基板２６Ｂは、ファン１３、発生ユニット１００および照明部１６のそれぞれの動作を制御する。電源基板２６Ａは、配置領域２４Ｃにおける前側Ｙ１に位置し、メイン基板２６Ｂは、配置領域２４Ｃにおいて電源基板２６Ａよりも後側Ｙ２に位置する。電源基板２６Ａおよびメイン基板２６Ｂは、ボルトなどによって下筐体１０の本体部１０Ａに固定される。
【００３０】
図７は、空気清浄機１の要部、詳しくは、仕切部材１４が組み付けられた下筐体１０を上側Ｚ１から見た斜視図である。図７を参照して、仕切部材１４は、樹脂製であり、ベース部３０と、左右一対の第１縦壁３１と、第２縦板３２と、ビーム部材３３と、連通部材３４とを一体的に含む。
【００３１】
ベース部３０は、円板状に形成され、下筐体１０の上端部１０Ｂの切欠き１０Ｇの下端と上下方向Ｚでほぼ同じ位置にあり、下筐体１０の膨出部２２および下側領域２４を上側Ｚ１から塞いだ状態にある（図５も参照）。下側領域２４のファン１３が、ボルトなどによってベース部３０に対して下側Ｚ２から固定される（図５参照）。ベース部３０の外側周縁部には、下筐体１０のボス部１０Ｆと同数の貫通穴３０Ａが形成される。それぞれの貫通穴３０Ａに対してボス部１０Ｆが下側Ｚ２から１つずつ挿入されることによって、仕切部材１４が下筐体１０に対して位置決めされる。
【００３２】
一対の第１縦壁３１は、左右方向Ｘに薄く、ベース部３０の上面から立ち上がって前後方向Ｙに延びる。一対の第１縦壁３１のうち、左側Ｘ１の第１縦壁３１を第１縦壁３１Ａといい、右側Ｘ２の第１縦壁３１を第１縦壁３１Ｂという。第１縦壁３１Ａの後端は、下筐体１０の上端部１０Ｂにおいて切欠き１０Ｇを左側Ｘ１から縁取る部分につながり、第１縦壁３１Ｂの後端は、上端部１０Ｂにおいて切欠き１０Ｇを右側Ｘ２から縁取る部分につながる。それぞれの第１縦壁３１の上下方向Ｚにおける寸法は、ホルダ２（図２参照）の上下方向Ｚにおける寸法とほぼ同じであり、第１縦壁３１の上端は、上端部１０Ｂの上端よりも上側Ｚ１に位置する。一対の第１縦壁３１の間には、筐体３に装着されたホルダ２を収容するための収容空間３８が区画される。収容空間３８は、ベース部３０によって下側Ｚ２から塞がれ、切欠き１０Ｇから後側Ｙ２に露出される。
【００３３】
一対の第１縦壁３１の間に、平面視におけるベース部３０の略中央部が位置する。一対の第１縦壁３１のそれぞれにおいて前後方向Ｙでベース部３０の略中央部と同じ位置には、第１縦壁３１を左右方向Ｘに切断する切欠き３１Ｃが形成される。第１縦壁３１Ａにおいて切欠き３１Ｃを後側Ｙ２から縁取る部分には、前側Ｙ１へ向かうにつれて左側Ｘ１へ湾曲する板状のガイド部３９が一体的に設けられる。ガイド部３９は、第１縦壁３１Ａにおいて切欠き３１Ｃを前側Ｙ１から縁取る部分にも一体的に設けられる。
【００３４】
第２縦板３２は、前後方向Ｙに薄く、ベース部３０の上面から立ち上がって左右方向Ｘに延び、一対の第１縦壁３１の後端縁間に架設される。左右方向Ｘにおける第２縦板３２の略中央には、第２縦板３２を上端縁から切り欠く切欠き３２Ａが形成される。第２縦板３２には、ラッチ機構４０が固定される。ラッチ機構４０は、一般的なプッシュラッチであり、切欠き３２Ａから後側Ｙ２に露出される一対の挟持突起４１を有する。ホルダ２を筐体３に装着するために収容空間３８に収容すると、ホルダ２では、左右一対の凸部５（図３参照）が切欠き３２Ａ内に後側Ｙ２から進入し、係合突起６（図３参照）が一対の挟持突起４１によって挟み込まれるので、ホルダ２が筐体３に装着された状態でロックされる。この状態で、ホルダ２を前側Ｙ１へ押し込むと、一対の挟持突起４１による係合突起６の挟み込みか解除されるので、ホルダ２を筐体３から後側Ｙ２へ取り外すことができる。
【００３５】
ビーム部材３３は、一対の第１縦壁３１のそれぞれの切欠き３１Ｃよりも後側Ｙ２の位置において、一対の第１縦壁３１の上端間に架設される。連通部材３４は、第１縦壁３１Ａの左側Ｘ１に配置される中空体である。連通部材３４には、その右面から連通部材３４の内部空間を通ってベース部３０を上下方向Ｚに貫通する連通口３４Ａが形成される。第１縦壁３１Ａにおける一対のガイド部３９の左端は、連通部材３４の右面における連通口３４Ａを前後方向Ｙにおける両側から挟むように連通部材３４の右面に接続される。そのため、連通部材３４の右面における連通口３４Ａは、一対のガイド部３９の間を介して収容空間３８に連通した状態にある。連通部材３４は、下筐体１０の下側領域２４における下側流路２４Ｂの真上に位置し、連通口３４Ａは、下側流路２４Ｂに上側Ｚ１から連通した状態にある。
【００３６】
図８は、空気清浄機１の要部、詳しくは、境界部材１２および仕切部材１４が組み付けられてホルダ２が装着された下筐体１０を上側Ｚ１から見た斜視図である。図８を参照して、ホルダ２の右壁の開口部２Ｃは、第１縦壁３１Ｂの切欠き３１Ｃから右側Ｘ２へ露出される。図示しないが、ホルダ２の左壁の開口部２Ｃ（図３参照）は、第１縦壁３１Ａの切欠き３１Ｃから左側Ｘ１へ露出されて、連通口３４Ａ（図７参照）に連通する。これにより、筐体３の内部において仕切部材１４のベース部３０よりも上側Ｚ１の上側領域５０には、破線の矢印で示すように連通口３４Ａからホルダ２の左右の開口部２Ｃおよび収納空間２Ｂを通る上側流路５１が設けられる（図７も参照）。開口部２Ｃおよび収納空間２Ｂは、上側流路５１の一部をなす。ホルダ２の収納空間２Ｂが上側流路５１の一部をなすので、収納空間２Ｂに収納された発生源２００は、上側流路５１に配置される。
【００３７】
ビーム部材３３よりも前側Ｙ１における一対の第１縦壁３１の上端縁間には、平面視で略矩形状で上下方向Ｚに薄い板状の支持部材５２が架設され、仕切部材１４と一体化される。
【００３８】
境界部材１２は、周上１箇所が途切れたリング状に形成され、下筐体１０の上端部１０Ｂの上端を全周に亘って上側Ｚ１から縁取るように、下筐体１０に取り付けられる。境界部材１２の内周面には、径方向内側Ｒ１へ張り出した鍔状のフランジ部１２Ａが一体的に設けられる。フランジ部１２Ａは、下筐体１０のボス部１０Ｆと同数設けられ、それぞれのボス部１０Ｆの上側Ｚ１に１つずつ配置される。それぞれのフランジ部１２Ａには、フランジ部１２Ａを上下方向Ｚに貫通する挿通穴１２Ｂが形成される。
【００３９】
図９は、空気清浄機１の要部、詳しくは、境界部材１２、照明部１６および仕切部材１４が組み付けられた下筐体１０を上側Ｚ１から見た斜視図である。図９では、説明の便宜上、ホルダ２および発生源２００の図示が省略される。図９を参照して、境界部材１２におけるそれぞれのフランジ部１２Ａの挿通穴１２Ｂ（図８参照）には、ボルト６０が１つずつ上側Ｚ１から挿通されて、下筐体１０のボス部１０Ｆに組み付けられる。これにより、下筐体１０と境界部材１２とが一体化される。なお、ボス部１０Ｆは、仕切部材１４のベース部３０の貫通穴３０Ａに挿入された状態にあるので、下筐体１０および境界部材１２とともに、仕切部材１４も一体化される（図５も参照）。
【００４０】
照明部１６は、上下方向Ｚに扁平な円盤状に形成される（図５参照）。照明部１６の円中心と、空気清浄機１の円中心Ｏ（図１参照）とは一致する。照明部１６は、下カバー６１と、リング部材６２と、照明基板６３と、上カバー６４（図５参照）とを含む。下カバー６１は、樹脂製であり、円形の皿状に形成され、支持部材５２に対して上側Ｚ１から取り付けられる。リング部材６２は、透明または半透明の樹脂製であり、円環状に形成され、下カバー６１の外側周縁部を全周に亘って上側Ｚ１から縁取るように下カバー６１に取り付けられる。照明基板６３は、上下方向Ｚに厚さ方向を有し、その下面に単数または複数のＬＥＤ６５（図５参照）が実装される。照明基板６３は、リング部材６２の内側に配置される。
【００４１】
図１０は、空気清浄機１の要部、詳しくは、ホルダ２および上筐体１１が取り外された状態の空気清浄機１を上側Ｚ１から見た斜視図である。図１０を参照して、上カバー６４は、樹脂製であり、上下の向きが逆になった円形の皿状に形成され、リング部材６２の内側周縁部を全周に亘って上側Ｚ１から縁取るようにリング部材６２に取り付けられる。そのため、リング部材６２の外側周縁部は、平面視において、上カバー６４から径方向外側Ｒ２へはみ出した状態にある。
【００４２】
図１１は、図４のＢ−Ｂ矢視断面図である。なお、図１１では、説明の便宜上、ホルダ２の左右の開口部２Ｃと連通部材３４の右面における連通口３４Ａとが、点線で図示される。図１１を参照して、上筐体１１は、平面視で円形状をなし上下が逆になった椀状に形成される。具体的には、上筐体１１は、上側Ｚ１へ向けて縮径される略円錐台形状に形成された本体部１１Ａと、本体部１１Ａの下端の周方向Ｓにおける全域から下側Ｚ２へ張り出した円環状の下端部１１Ｂと、本体部１１Ａの上端の周方向Ｓにおける全域から径方向内側Ｒ１へ張り出した円環状の天壁１１Ｃとを一体的に含む（図１も参照）。
【００４３】
下端部１１Ｂは、境界部材１２を全周に亘って上側Ｚ１から縁取るように、境界部材１２に取り付けられる。境界部材１２は、下端部１１Ｂと下筐体１０の上端部１０Ｂとによって上下方向Ｚから挟まれた状態にある。下端部１１Ｂにおいて周方向Ｓで上端部１０Ｂの切欠き１０Ｇと同じ位置には、下端部１１Ｂの周上１箇所、詳しくは下端部１１Ｂにおける後側Ｙ２の部分を切断する切欠き１１Ｄが形成され、切欠き１０Ｇと一体となって着脱口６９を構成する（図１参照）。着脱口６９は、ホルダ２の後端面２Ａと同じ大きさであり、収容空間３８に後側Ｙ２から連通した状態にある（図５参照）。ホルダ２は、着脱口６９を通って収容空間３８に収容されることによって筐体３に装着され、装着後のホルダ２では、後端面２Ａが着脱口６９を塞ぐ（図１参照）。一方、筐体３から取り外されるホルダ２は、着脱口６９を通って収容空間３８から後側Ｙ２へ離脱する。
【００４４】
天壁１１Ｃは、径方向内側Ｒ１の内周縁と径方向外側Ｒ２の外周縁との間で下側Ｚ２へ凸湾曲するように形成される。天壁１１Ｃの内周縁によって囲まれた円形の空間には、照明部１６の上カバー６４が配置され、天壁１１Ｃの内周縁と上カバー６４との間には、周方向Ｓに延びる円環状のスリットが形成される。このスリットは、筐体３の上部３Ｂに形成された排気口７０である。照明部１６は、排気口７０の周囲に位置する。
【００４５】
前述した筐体３の内部における上側領域５０は、上筐体１１と仕切部材１４のベース部３０とによって上下方向Ｚから挟まれた空間である。仕切部材１４は、筐体３の内部を、上側領域５０と、上側領域５０よりも下側Ｚ２の下側領域２４とに仕切る。上側領域５０は、前述した上側流路５１でもあり、排気口７０に対して下側Ｚ２から連通した状態にある。上側領域５０の上側流路５１は、仕切部材１４の連通部材３４に形成された連通口３４Ａを介して、下側領域２４の下側流路２４Ｂと連通した状態にある。連通した状態にある上側流路５１および下側流路２４Ｂのまとまりは、流路７５を構成し、排気口７０とファン１３の吐出口１３Ｂ（図６参照）とをつなぐ。
【００４６】
このような空気清浄機１の筐体３は、下筐体１０の本体部１０Ａが筐体３の下部３Ａを構成し、上筐体１１の本体部１１Ａが筐体３の上部３Ｂを構成し、下筐体１０の上端部１０Ｂと上筐体１１の下端部１１Ｂとが筐体３の中央部３Ｃを構成する。筐体３は、上下方向Ｚに扁平な円盤形状であり、中央部３Ｃが径方向Ｒにおいて最も大きい筒状に形成され、下部３Ａおよび上部３Ｂは、中央部３Ｃから上下方向Ｚに離れるにつれて縮径した略円錐台形状に形成される。このような形状の筐体３を有する空気清浄機１であれば、前述した載置面に載置されたときの姿勢が安定する。
【００４７】
スイッチ１９（図１参照）を操作して空気清浄機１の運転を開始すると、メイン基板２６Ｂによる制御によって、ファン１３が駆動され、発生ユニット１００における発生源２００が上側流路５１にオゾンを発生させ、照明部１６のＬＥＤ６５が発光する。
【００４８】
ファン１３は、駆動されることによって、筐体３の外の空気を吸気口２０（図１参照）から吸い込んで吸込口１３Ａからファン１３の内部に取り込み、吐出口１３Ｂ（図６参照）から下側流路２４Ｂに吐出する。下側流路２４Ｂに吐出された空気は、太い破線矢印で示すように、排気口７０へ向けて上昇するように流路７５を流れ、排気口７０から筐体３の外へ排出される。
【００４９】
発生源２００が流路７５における上側流路５１の途中に位置するので、発生源２００が上側流路５１に発生させたオゾンは、流路７５を流れる空気に乗って排気口７０から筐体３の外へ排出され、空気清浄機１の周囲の空気を除菌する。なお、オゾンは、抗菌や防臭の効果も有する。ちなみに、空気清浄機１から排出されるオゾンの濃度は、人体に影響を与えない程度に低く設定される。
【００５０】
ホルダ２においてカートリッジ４が収納される収納空間２Ｂに連通する左右の開口部２Ｃは、上側流路５１の一部をなす。これにより、発生源２００が発生させたオゾンを、開口部２Ｃを流れる空気に効果的に乗せて筐体３の外に排出することができるので、オゾンによる除菌や抗菌や防臭の効果を促進できる。
【００５１】
照明部１６では、ＬＥＤ６５が発光することによって、その光が、透明または半透明のリング部材６２に照射され、リング部材６２が光る。これにより、排気口７０の周囲が、リング部材６２の光による間接照明によって照らし出される。たとえば、リング部材６２が紫色または青色に着色されてＬＥＤ６５が白色光を発生させことにより、リング部材６２は青白く光る。そして、たとえば、空気清浄機１が通常運転中にある状態ではＬＥＤ６５が点灯するものの、吸気口２０の目詰りなどにより空気清浄機１の運転に問題がある状態などには、ＬＥＤ６５が点滅する。このように筐体３の上部３Ｂという目の届きやすい位置にある排気口７０の周囲に設けられた照明部１６が、空気清浄機１の作動状態を報知することにより、作動状態を把握しやすい空気清浄機１を提供できる。
【００５２】
オゾンは、空気よりも重く、その酸化力によって基板２６を腐食させる性質、たとえば基板２６の金属部分を錆びさせる性質を有する。空気清浄機１が運転中の状態では、オゾンは、流路７５を流れる空気に乗って筐体３の外に排出されるので、基板２６を腐食させる虞はないが、発生ユニット１００が発生させたオゾンを筐体３の外に排出しきれない状態で空気清浄機１の運転が停止される場合がある。この場合、ファン１３の駆動が停止されて流路７５における空気の流れが止まった状態にあるので、筐体３の外に排出しきれなかった残存オゾンが筐体３内に留まって、連通口３４Ａから下側領域２４に流れ落ち、基板２６を腐食させる虞がある。
【００５３】
そこで、下側領域２４において流れ落ちるオゾンの先には、フィルタ部材８０が設けられる。具体的には、仕切部材１４のベース部３０には、その下面から下側領域２４の下側流路２４Ｂ内へ下側Ｚ２に突出する管状のボス３０Ｂが一体的に設けられ、ボス３０Ｂの下端部にフィルタ部材８０が固定される。フィルタ部材８０は、たとえば、活性炭で形成され、下側流路２４Ｂにおいてファン１３の吐出口１３Ｂに近傍に配置される（図６参照）。連通口３４Ａから下側流路２４Ｂに流れ落ちたオゾンは、フィルタ部材８０によって捕獲される。
【００５４】
このように、下側流路２４Ｂに流れ落ちたオゾンをフィルタ部材８０によって捕獲すれば、筐体３内に残留したオゾンが基板２６に到達しにくくなる。そのため、オゾンによる基板２６の腐食を抑制できる。
【００５５】
また、基板２６は、前述したように、下側領域２４においてファン１３に対する下側流路２４Ｂの反対側に位置する配置領域２４Ｃに配置される。そのため、基板２６は、下側流路２４Ｂに流れ落ちたオゾンから離れた位置にある。さらに、下側領域２４に設けられた遮断壁２５が配置領域２４Ｃを下側流路２４Ｂから遮断する。具体的には、遮断壁２５を構成する左遮断壁２５Ａおよび右遮断壁２５Ｂが、下側領域２４を、ファン１３が配置される中央領域２４Ａと、下側流路２４Ｂと、配置領域２４Ｃとに仕切ることによって、配置領域２４Ｃを下側流路２４Ｂから二重に遮断する。そのため、配置領域２４Ｃの基板２６は、下側流路２４Ｂに流れ落ちたオゾンから隔離される。よって、オゾンによる基板２６の腐食を一層抑制できる。なお、左遮断壁２５Ａおよび右遮断壁２５Ｂのそれぞれは、下筐体１０だけに設けられてもよいし、下筐体１０側と仕切部材１４側とで分割して設けられ、下筐体１０と仕切部材１４とが組み合わったときに完成してもよい。
【００５６】
この発明は、以上に説明した実施形態に限定されるものではなく、請求項記載の範囲内において種々の変更が可能である。
【００５７】
たとえば、オゾンによる基板２６の腐食を抑制するために、基板２６にコーティングを施してもよい。ＬＥＤ基板３５、ＬＥＤ基板５３や照明基板６３についても同様である。また、以上の実施形態では、空気を除菌する除菌ガスの一例としてオゾンを挙げたが、オゾン以外にも、除菌効果を有する塩素ガスなどを除菌ガスとして用いることができる。
【００５８】
また、発生ユニット１００の発生源２００は、前述したオゾン発生装置のような電気部品ではなく、除菌ガスを自然発生させるものであってもよい。この場合、前述した基板２６は、少なくともファン１３および照明部１６のそれぞれに対して電気的に接続されればよい。
【符号の説明】
【００５９】
１      空気清浄機
２      ホルダ
２Ｃ    開口部
３      筐体
３Ａ    下部
３Ｂ    上部
１３    ファン
１３Ｂ  吐出口
１４    仕切部材
１６    照明部
２０    吸気口
２４    下側領域
２４Ｂ  下側流路
２４Ｃ  配置領域
２５    遮断壁
２６    基板
３４Ａ  連通口
５０    上側領域
５１    上側流路
７０    排気口
７５    流路
８０    フィルタ部材
１００  発生ユニット
２００  発生源
Ｚ２    下側
【図１】
2017086212.tif 000003
【図２】
2017086212.tif 000004
【図３】
2017086212.tif 000005
【図４】
2017086212.tif 000006
【図５】
2017086212.tif 000007
【図６】
2017086212.tif 000008
【図７】
2017086212.tif 000009
【図８】
2017086212.tif 000010
【図９】
2017086212.tif 000011
【図１０】
2017086212.tif 000012
【図１１】
2017086212.tif 000013